(57)【要約】  【課題】  構造が簡単で、耐久的な遮蔽パネル装置を提供する。  【解決手段】  Ｌ字形の一対の取付腕４，４´を遮蔽パネル３の一端に突設し、この遮蔽パネル３を、天板２に各取付腕に対応して設けた支持材５，５´に前記取付腕４，４´の先部片４ａ，４´ａを嵌挿方向にばね１２付勢させて前記支持材５，５に嵌挿して、回動自在に枢着する。前記取付腕４の基部片４ｂが前記ばね付勢によって圧接する、一方の前記支持材５の摺接面６には、前記天板に対する遮蔽パネル３の起立状態時、倒伏状態時および倒立状態時に前記基部片４ｂがそれぞれ係離自在に係止する係合部１３Ａ，１３Ｂ，１３Ｃを前記遮蔽パネル３の回動方向に順次並設する。【特許請求の範囲】
【請求項１】
先部片と基部片で成るＬ字形の一対の取付腕を遮蔽パネルの一端に突設し、この遮蔽パネルを、前記先部片を天板に各取付腕に対応して設けた支持材に嵌挿して、前記天板に回動自在に枢着すると共に、一方の前記取付腕の基部片がばね付勢によって圧接する、一方の前記支持材の摺接面の一端には、前記天板に対する遮蔽パネルの起立状態時に前記基部片が係止する係合部を、また他の一端には前記天板に対する前記遮蔽パネルの倒立時に前記基部片が係止する係合部をそれぞれ設けた、テーブルの遮蔽パネル装置。
【請求項２】
両端の取付腕の基部片の係合部側から中間部の奥端に至るに従って次第にばね付勢方向に深くしたテーパ状の側壁を備えた係合部を、一方の支持材の摺接面に設けた、請求項１記載のテーブルの遮蔽パネル装置。
【発明の詳細な説明】
【技術分野】
【０００１】
本発明は、テーブルの遮蔽パネル装置に関するものである。
【背景技術】
【０００２】
テーブル（机と称するものも同様）使用時に人の注視に対処する手段として、幕板を装置して少くとも足元を注視から回避するようにしていることがよく知られているが、足元と同様に天板上も人の注視から避けるようにしたものとして、例えば、天板部分に巻取りドラムを装置し、該ドラムから導出した遮蔽用シート（布製の）の先端に設けた止め具をテーブル脚に設けた係止具に係止して前記シートを幕板として適用したり、或いは、シート先端の止め具を天板に起伏自在に設けた係止レバーを起立させてこれに設けた係止部に係止して天板上の目隠しとして適用するようにしたものがある（例えば、特許文献１）。
【０００３】
【特許文献１】特開２００２−１３６３４９号公報
【発明の開示】
【発明が解決しようとする課題】
【０００４】
前記従来例は幕板等に適用するものが、シート体であるため、巻取りドラムを必要とする等構造が複雑で、幕板などとしての適用上においても必ずしも実用的でない。
【０００５】
本発明は、前記従来例に用いたシート体に代えてパネル体を用い、しかも、パネル体を用いることによる不都合さを回避した斬新な装置を提供すべく創案したものである。
【課題を解決するための手段】
【０００６】
先部片と基部片で成るＬ字形の一対の取付腕を遮蔽パネルの一端に突設し、この遮蔽パネルを、前記先部片を天板に各取付腕に対応して設けた支持材に嵌挿して前記天板に回動自在に枢着すると共に、一方の前記取付腕の基部片をばね付勢によって圧接する、一方の前記支持材の摺接面の一端には、前記天板に対する遮蔽パネルの起立状態時に前記基部片が係止する係合部を、また、他の一端には前記天板に対する前記遮蔽パネルの倒立時に前記基部片が係止する係合部をそれぞれ設けたことを基本的手段とする。
【０００７】
なお、両端の取付腕の基部片の係合部側から中間部の奥端に至るに従って次第にばね付勢方向に深くしたテーパ状とした側壁を備えた係合部を、前記基部片の摺接面に設けたことを、この基本的手段に付加することにより、遮蔽パネルの起立状態時から倒立状態時への急激な倒立動作を尚一層回避して衝撃を緩和できる。
【発明の効果】
【０００８】
本発明によれば、遮蔽パネルに突設した取付腕の基部片を軸とする該パネルの回動によって遮蔽パネルを自在に回動させて、該パネルを幕板として、また、机上の目隠しとして使用でき、該適用時の遮蔽パネルの起立時或いは倒立時はばね付勢によって支持材に設けた係合部に前記基部片が確実に係止し、かつ、該係止状態を確実に維持し、安定した幕板状態並びに机上の目隠し状態を得ることができる。
【０００９】
また、起立状態から倒立状態への変換時には、前記ばね付勢と、取付腕基部と係合部との係合関係によって、急激な倒伏（立）による遮蔽パネルの損傷を防ぎ、耐久的な装置を提供できる。
【実施例】
【００１０】
図面は本発明に係るテーブルの遮蔽パネル装置の一実施例を示し、図１は側面図、図２は図１の一部を省略して示した拡大図、図３は図２の側面図、図４は図２の一部欠截底面図、図５は支持材の摺接面の展開説明図である。
【００１１】
実施例は、脚材１上に天板２を載置して構成したテーブルＡの前記天板２の先端側（着席側を天板２の基端側として）に、遮蔽パネル３を装置し、該遮蔽パネル３を前記天板２の下方に倒立状に配して幕板として、また、天板２の上方に起立状に配して天板２の前方からの視界を遮る目隠し（板）として適用できるようにしたものである。
【００１２】
遮蔽パネル３は、樹脂杆或いはアルミニウムなどの金属杆で構成した骨枠３ａに樹脂や布製のシート３ｂを張設して（骨枠３ａを包み込むようにして）構成したもので、前記天板２の横幅に見合う横幅と、前記の幕板や目隠しとして適用できるに足る縦幅のある長方形体で構成したもので、この遮蔽パネル３の前記骨枠３ａの前記横幅方向に沿う一端には、前記シート３ｂを通じてパネル３外部に導出するようにして基部片４ｂ，４´ｂの先端に先部片４ａ，４´ａを連設して成る、一対のＬ字形の取付腕（丸い金属杆で構成してある）４，４´を突設し、互いに相対する取付腕４，４´の前記横幅方向に沿う前記先部片４ａ，４´ａを前記天板２の下面先端側に装置した支持材５，５´に組付けて前記遮蔽パネル３を前記天板２に起倒自在に枢着してある。
【００１３】
前記一方の支持材５は、他の一方の支持材５´と相対する側の反対側を、前記一方の取付腕４の基部片４ｂが摺接する摺接面６としたブロック体で成り、この支持材５を前記天板２の下面にねじ７で止着して前記横幅方向に長い中空室８を前記天板とで構成し、該中空室８と前記摺接面６を連通する嵌挿孔９を設けたものである。
【００１４】
他の一方の支持材５´は、前記一方の支持材５側の前記嵌挿孔９と同軸上に支持孔９´が位置するようにして支持材５と同様に天板２の下面にねじ止めした、いわば変形筒体で構成したもので、この支持材５´の支持孔９´に、前記一方の支持材５と相対する反対側から遮蔽パネル３に設けた一方の取付腕４´の先部片４´ａを嵌挿して支持材５´に支持させ、また、前記支持材５の嵌挿孔９に前記摺接面６側から遮蔽パネル３に設けた他の一方の取付腕４の先部片４ａを嵌挿して該支持材５に支持させ、前記の通り、前記遮蔽パネル３を支持材５，５´を介して天板２に起倒自在に枢着してある。
【００１５】
また、一方の支持材５´の支持孔９´より突出する前記取付腕４´の先部片４´ａの先端には鍔状にして係止片１０を設け、支持孔９´より先部片４´ａの抜け止め（主として、コイルばね１２の付勢による）とする一方、他の一方の支持材５の嵌挿孔９を通じて前記中空室８内に突出させた他の取付腕４の先部片４ａの先端には同様にして鍔状の受圧片１１を設け、該受圧片１１と支持材５の嵌挿孔９の縁部間に前記先部片４ａに巻回して介在させたコイルばね１２の弾性による押圧を受けるようにしてある。
【００１６】
コイルばね１２は、前記の通り、受圧片１１と支持材５部分間に介在させて支持材５内に配し、支持材５を固定側、受圧片１１を移動側として受圧片１１を常時押圧しており、この結果、受圧片１１を備えた先部片４ａを先端に備え、該先部片４ａに対してほぼ直交する方向に配した取付腕４の基部片４ｂは、支持材５の前記摺接面６に圧接する状態で重なり配置されている。
【００１７】
前記摺接面６は、前記取付腕４の基部片４ｂの、前記嵌挿孔９に嵌挿した先部片４ａを軸とする回動がほぼ１８０°の範囲で行われるような空域に設けたもので、基部片４ｂの回動方向の中央部には第一係合部１３Ａを、回動方向の一端側すなわち天板２の先端側には第二係合部１３Ｂを、該第二係合部１３Ｂに前記第一係合部１３Ａを存して相対する前記回動方向の他の一端側に第三係合部１３Ｃを、嵌挿孔９に対する取付腕先部片４ａの嵌挿方向にして凹設し、該係合部１３Ａ，１３Ｂ，１３Ｃの深さ（コイルばね１２による付勢方向への相対的な）は第一係合部１３Ａを最も深く、以下、第二係合部１３Ｂ、第三係合部１３Ｃと順次浅くすると共に、第一係合部１３Ａは、前記第二係合部１３Ｂ側の側壁１３Ａ´と前記第三係合部１３Ｃ側の側壁１３Ａ´´が各係合部１３Ｂ又は１３Ｃ側の端縁から該係合部１３Ａの奥端１３Ａ´´´方向に至るに従って次第に近接し、前記コイルばね１２の付勢方向に深くなるテーパ状と成したもので、前記遮蔽パネル３に対して取付腕４，４´の基部片４ｂ，４ｂ´を交差方向に配することによって、一方の取付腕４の基部片４ｂが第二係合部１３Ｂに係合してコイルばね１２の付勢によって該係合状態を保持したとき、第１図において、前記遮蔽パネル３が起立状態となって天板２上の目隠しとして機能し、該第二係合部１３Ｂを離脱してテーパ状の一方の側壁１３Ａ´を経て第一係合部１３Ａに係合してばね付勢によって係止状態を保持したときは、遮蔽パネル３は倒伏状態となって図１で示すように水平状態を保持し、前記第二係合部１３Ｂから第三係合部１３Ｃに腕４の基部片４ｂが回動して移動しないようにしてある。
【００１８】
そしてまた、他の一方のテーパ状の側壁１３Ａ´´を経て第一係合部１３Ａを離脱して基部片４ｂが第三係合部１３Ｃに係合してコイルばね１２の付勢によって当該係止状態を保持したときは、図１の実線で示す通り、遮蔽パネル３は倒立状態となって幕板として機能するようにしてある。
【００１９】
なお、取付腕４の基部片４ｂは、第二係合部１３Ｂから第三係合部１３Ｃに移動途中（遮蔽パネル３の起立状態時から倒立状態時への移行中）、第一係合部１３Ａに係止しないで（第一係合部１３Ａに係合して停止しないで）、該第一係合部１３Ａを経て継続して移行するようにしても良く、この場合においても、第一係合部１３Ａを経て第三係合部１３Ｃに至る間、すなわち、コイルばね１２の付勢により基部片４ｂ（取付腕４）が側壁１３Ａ´´に摺接している間は、遮蔽パネル３の重量による急激な回動降下（取付腕４の先部片４ａを回動軸とする）は、ばね付勢による基部片４ｂの側壁１３Ａ´´（テーパ状の）に対する摺接により緩和され、いわば、緩やかに降下するため、急激な降下による衝撃を防ぐことができるのである。
【００２０】
しかして、一方の支持材５に設けた第二係合部１３Ｂに一方の取付腕４の基部片４ｂを係合すると、コイルばね１２は該第二係合部１３Ｂに通じる嵌挿孔９に嵌挿した取付腕４の先部片４ａを、嵌挿孔９に対する該先部片４ａの嵌挿方向に付勢しているので、基部片４ｂは第二係合部１３Ｂに係止状態を維持し（なお、取付腕４´側は先部片４´ａを支持孔９´に嵌挿して支持材５´に回動自在に常時支持されていることは勿論である）、この状態時に、遮蔽パネル３は天板２上より突出して起立状態が保たれ、天板２上の目隠し材として機能する。
【００２１】
そして、遮蔽パネル３を取付腕４，４´の先部片４ａ，４´ａで構成する回動軸と平行にコイルばね１２を圧縮する向きに押圧すると、第二係合部１３Ｂから、取付腕４の基部片４ｂが離脱して倒立状態への回動が可能となり、遮蔽パネル３は、取付腕４，４´の先部片４ａ，４´ａを軸として回動下降し、この回動時にもコイルばね１２の付勢が機能して取付腕４の基部片４ｂは一方の支持材５の摺接面６に圧接し続け、基部片４ｂが第一係合部１３Ａを越えて側壁１３Ａ´´に移動すると、基部片４ｂが側壁１３Ａ´´にも沿って移動する為、コイルばね１２の付勢に抗する力が次第に強く付与されて、回動下降する遮蔽パネル３の落下エネルギー（概し重量による）を吸収し衝撃を和らげる。基部片４ｂは遮蔽パネル３の自重又は倒立方向への押圧により、第三係合部１３Ｃに係合し（この状態のとき、取付腕４の基部片４ｂが第三係合部１３Ｃに係止することにより、図１で示すように遮蔽パネル３は天板２に接することのないようにしてある）、該状態はいうまでもなくコイルばね１２の付勢によって保持され、遮蔽パネル３を幕板として適用する状態を得られるのである。
【００２２】
また、幕板状態から目隠し状態に遮蔽パネル３を移行させるには、前記と逆の操作をすれば良いからその説明は省略する。
【００２３】
なお、実施例は支持材５，５´を天板２の下面に固設してあるが、天板２の先端面（立上り面）に設けても良く、その場合は支持材５，５´に対する遮蔽パネル３の配置角度が変わるから、遮蔽パネル３に対する取付腕４，４´の取付（配置）角度（交差角度）を変える必要があることは勿論である。
【図面の簡単な説明】
【００２４】
【図１】側面図。
【図２】図１の一部を省略して示した拡大図。
【図３】図２の側面図。
【図４】図２の一部欠截底面図。
【図５】支持材の摺接面の展開説明図
【符号の説明】
【００２５】
２            天板
３            遮蔽パネル
４，４´      取付腕
４ａ，４´ａ  先部片
４ｂ，４´ｂ  基部片
５，５´      支持材
６            摺接面
１３Ａ        第一係合部
１３Ｂ        第二係合部
１３Ｃ        第三係合部
【図１】
2005237512.tif 000002
【図２】
2005237512.tif 000003
【図３】
2005237512.tif 000004
【図４】
2005237512.tif 000005
【図５】
2005237512.tif 000006